(57)【要約】【課題】  リモコン装置を机上に置くことで自動的に回動部材の送信部が受光センサ方向に向く簡単な構成でリモコン装置から照射する赤外線を正確に受光部に照射可能なリモコン装置を得る。【解決手段】  機能操作部２２とマウス３を有するリモコン本体２に揺動可能に軸支された前面にキーコード及マウス３からの指示信号を赤外光により送信する送信部７を有し、前面の下方に突出する突部２６を配設した回動部２５と、リモコン本体２を水平面に載置してマウス３の操作時に回動部２５が傾斜したことを検出する傾斜検出手段８とを具備し、傾斜検出手段８の検出によりマウス操作を行なうモニタ１６に画面表示する信号を送信部７より照射するように制御してなるリモコン装置を提供する。【選択図】  図１
2006086691.tif 000002
【特許請求の範囲】
【請求項１】
電子機器の動作指示を行なう機能操作部とマウス部の操作によって該電子機器のモニタ部に表示された文字テーブルの所定位置にポインターを移動させ、選択、決定する指示が赤外光を介して該電子機器に照射されるリモートコントロール装置において、
上記機能操作部と上記マウス部を有するリモートコントロール本体と、
上記リモートコントロール本体に揺動可能に軸支された前面にキーコード及び上記マウス部からの指示信号を赤外光により送信する送信部を有し、前面の下方に突出する突部を配設した回動部と、上記リモートコントロール本体を水平面に載置して上記マウス部の操作時に上記回動部が傾斜したことを検出する傾斜検出手段とを具備し、
上記傾斜検出手段の検出により上記マウス操作を行なう上記モニタ部に画面表示する信号を上記送信部より照射するように制御してなることを特徴とするリモートコントロール装置。
【請求項２】
機能選択、実行を行なう数字、機能キーを備え、押圧されたキーに対応したキーコードを赤外線により発光すると共に、当該キーコードを受信して動作し、文字入力可能な機能を備えた音声又は映像記録又は再生装置からモニタ部に出力された画面に表示された入力すべき文字を指し示すポインターを任意の方向へ移動させる指示を行なうマウス部を備えるリモートコントロール装置において、
上記リモートコントロール装置の本体に軸支され上記キーコード及びマウス部からの指示信号を赤外線によって発光する送信部を前面に固定し、下面の前端に下方へ突出する突部を有する回動部と、上記リモートコントロール本体を水平面に置いて上記マウス部の操作を行なうときに上記回動部が傾斜をしたこと検出する検出スイッチと、上記検出スイッチが上記回動部の傾斜を検出したことにより該マウス操作を行なう上記画面を上記モニタ部が表示するように指示する信号を上記送信部が上記赤外線で発光するように制御する制御部とを具備することを特徴とするリモートコントロール装置。
【請求項３】
前記回動部の下方に突出する突部の突出量を調整可能と成したことを特徴とする請求項１又は請求項２記載のリモートコントロール装置。
【請求項４】
前記リモートコントロール本体の表面に機能選択キー、機能キー、テンキーを有し、該リモートコントロール本体の裏面に前記マウス部のボールを有することを特徴とする請求項１乃至請求項３のいずれか１項記載のリモートコントロール装置。
【請求項５】
前記リモートコントロール本体の前面に凹部を形成し、該凹部に前記回動部を揺動可能に枢着する様に成したことを特徴とする請求項１乃至請求項４のいずれか１項記載のリモートコントロール装置。
【発明の詳細な説明】
【技術分野】
【０００１】
本発明はリモートコントロール装置（以下リモコン装置と記す）に係わり、特に、リモコン操作が出来、かつ、文字テーブルをマウス操作で選択、決定することが出来るリモコン装置に関する。
【背景技術】
【０００２】
従来から文字入力可能なリモコン装置として最も一般的な方法としてはモニタ画面に５０音もしくは、アルファベットが表示され、使用者がリモコン装置あるいは記録再生装置に付随しているカーソルキーを操作して必要な文字を選択するものが知られている。
【０００３】
又、テレビジョンに文字入力を行なう場合、キーボードやマウス等を接続する必要がなくチャンネルの選択に利用するリモコン装置を文字入力或いはポインターの移動の処理が出来るようにすることで、テレビジョン受信装置に文字の入力を行い、リモコン装置によって電子メールの入力を行なうことが出来るようにしたテレビジョン受信装置がある（例えば、特許文献１参照。）。
【０００４】
更に、ワイヤレス座標入力装置として、パーソナルコンピュータのマウスインターフェースに接続されワイヤレスマウスから赤外線信号を受信するワイヤレスマウスレシーバを有し、このワイヤレスレマウスはＸＹロータリーエンコーダの各２相信号と左右クリックスイッチのオン、オフを表す並列データを直列データに変換し、この変換された直列データを表す赤外線信号を送信し、ワイヤレスマウスレシーバは受信された赤外線信号で表される直列データを並列データに変換し、変換された並列データに基づいて、パーソナルコンピュータのマウスインターフェースに座標入力信号を出力するようにしたものがある（例えば、特許文献２参照。）。
【特許文献１】特開平２００２−１９９２４４号公報
【特許文献２】特開平８−３１４６２２号公報
【発明の開示】
【発明が解決しようとする課題】
【０００５】
上述の使用者がリモコン装置若しくは記録再生装置に付随するカーソルキーを操作して、必要な文字を選択するものでは画面の５０音或いはアルファベットの表示をするためにはカーソルキーまでの距離や間隔があって、文字選択のための移動に多くの時間と手間を要する課題を有していた。
【０００６】
又、特許文献１に記載されたテレビションに文字入力を行なうようにしたテレビション受信装置ではリモコン装置に備えられたキーでモニタに表示されたポインターを移動させる処理が出来るが、モニタに表示されたポインターを斜めに移動させる場合、移動の角度が４５°と定められているため、実際のポインター移動では斜め移動キーの操作に加えて上下左右のいずれかの移動キーを操作する必要があり、操作が煩雑となる課題を有していた
【０００７】
更に、特許文献２に記載されたワイヤレス座標入力装置では上述した作業の困難さは克服しているが、通常の再生開始や再生停止を行なうリモコン機能にマウス機能を兼ね備えたリモコン装置では、リモコン装置を使用者が手で持って使用する場合と机上に置いてマウス操作を行なう場合とでは、リモコン装置の高さが異なってきて、マウス操作時の使い勝手が極めて悪くなる課題を生ずる。
【０００８】
即ち、リモコン装置を手で持って再生開始や再生停止の操作若しくはボリュームの音量調整を行なう場合は通常ＤＶＤ（Ｄｉｇｉｔａｌ  Ｖｅｒｓａｔｉｌｅ  Ｄｉｓｃ）レコーダ等の電子機器に具備された受信部にリモコン装置の先端を向けてリモコン装置の操作を行なう。この場合、リモコン装置とＤＶＤレコーダの受光部の高さは略同一の高さにすることが可能となるので、リモコン装置の発光部から発光させる赤外線をＤＶＤレコーダの受光部に向けて正確に発光させることが可能となる。
【０００９】
然しながら、上述のリモコン装置によってマウス操作を行なう場合には、通常、使用者の目前にあるＤＶＤレコーダに対し、水平を成す机の上にリモコン装置を載置した状態で、このリモコン装置のマウス機能を有する操作手段を前後左右に動かしてマウス操作が行なわれる。この為、リモコン装置を使用者が持って操作を行なう場合よりも低い位置で水平方向（前後左右方向）にマウス操作が行われることになる。この為、使用者の前方で使用者の目線と同じ高さにある受信部へ向けてリモコン装置から放射される赤外線を正確に目的の受光部に照射することが困難となる課題があった。
【００１０】
本発明は叙上の課題を解消するために成されたもので、本発明が解決しようとする課題は、リモコン装置を机上に置くことで自動的に回動部材の送信部が受光センサ方向に向く簡単な構成でリモコン装置から照射する赤外線を正確に受光部に照射可能なリモコン装置を提供することを目的とする。
【課題を解決するための手段】
【００１１】
上述の課題を解決するための第１の本発明のリモコン装置は、電子機器の動作指示を行なう機能操作部とマウス部の操作によって電子機器のモニタ部に表示された文字テーブルの所定位置にポインターを移動させ、選択、決定する指示が赤外光を介して電子機器に照射されるリモコン装置において、機能操作部とマウス部を有するリモコン本体と、リモコン本体に揺動可能に軸支された前面にキーコード及マウス部からの指示信号を赤外光により送信する送信部を有し、前面の下方に突出する突部を配設した回動部と、リモコン本体を水平面に載置してマウス部の操作時に回動部材が傾斜したことを検出する傾斜検出手段と、を具備し、傾斜検出手段の検出によりマウス操作を行なうモニタ部に画面表示する信号を送信部より照射するように制御してなるものである。
【００１２】
上述の課題を解決するための第２の本発明のリモコン装置は機能選択、実行を行なう数字、機能キーを備え、押圧されたキーに対応したキーコードを赤外線により発光すると共に、キーコードを受信して動作し、文字入力可能な機能を備えた音声又は映像記録又は再生装置からモニタ部に出力された画面に表示された入力すべき文字を指し示すポインターを任意の方向へ移動させる指示を行なうマウス部を備えるリモコン装置において、リモコン装置の本体に軸支されキーコード及びマウス部からの指示信号を赤外線によって発光する送信部を前面に固定し、下面の前端に下方へ突出する突部を有する回動部と、リモコン本体を水平面に置いてマウス部の操作を行なうときに回動部が傾斜したことを検出するスイッチと、このスイッチが回動部材の傾斜を検出したことによりマウス操作を行なう画面をモニタ部が表示するように指示する信号を送信部が赤外線で発光するように制御する制御部とを具備させたものである。
【発明の効果】
【００１３】
本発明のリモコン装置によれば、操作キーの操作によって電子機器の動作の指示をすると共にマウス操作によってモニタ部に表示された文字テーブルの任意位置にポインターを移動させ、選択、決定する指示を赤外線によって発光するリモコン装置とすることで、リモコン装置を机上に置くことで自動的に回動部の送信部が受光センサ方向に向く簡単な構成でリモコン装置から発光される赤外線を正確に受光部に照射して動作可能なリモコン装置を得ることができる利点がある。
【発明を実施するための最良の形態】
【００１４】
以下、本発明のリモコン装置として、電子機器をＤＶＤレコーダに適用した構成を図１乃至図７によって説明する。
【００１５】
以下、図面に基づいて本発明の一形態例を説明する。図１（Ａ）（Ｂ）は本発明のリモコン装置の一形態を示す平面図及び側面図、図２は本発明のリモコン装置の動作を説明するための側面図、図３はモニタの画面上に表示される表示画面の一例を示す表示画面図、図４は本発明のリモコン装置とＤＶＤレコーダに適用した電子機器の機能的系統図、図５（Ａ）（Ｂ）は本発明の一形態例のリモコン装置の表面及び背面を示す外観斜視図、図６及び図７は本発明のリモコン装置の操作方法を示す説明図である。
【００１６】
図１乃至図３の説明に先立ち、図４及び図５によって本発明のリモコン装置によってＤＶＤレコーダを制御する場合の全体的な機能的系統図及びリモコン装置の外観構成を説明する。
【００１７】
図４において、１はリモコン装置であり、リモコン装置１はリモコン本体２を構成する筐体の背面にマウスボール３を図５（Ｂ）に示す様に回転可能に配設する。このマウスボール３は筐体の背面板２８から半球が突出するように枢着されている。図４に於いて、リモコン装置１内にはマウスボール３からの回転方向を検出するＸ方向フォトインタラプタ４及びＹ方向フォトインタラプタ５が設けられマウスボール３とＸ及びＹ方向フォトインタラプタ４、５からマウスボールの回転量に応じた検出パルスが得られる。
【００１８】
Ｘ及びＹ方向フォトインタラプタ４，５の出力端はリモコン処理部６に接続され、リモコン処理部６の出力端は送信部７に接続され、制御部８はリモコン処理部６と送信部７間に接続されている。送信部７の出力端は赤外線発光素子９に接続されている。
【００１９】
又、電子機器を構成するＤＶＤレコーダ１０上にはＬＣＤ（液晶表示装置）等のモニタ１６が載置される。モニタ１６の画面１７の下側（或いはＤＶＤレコーダ１０のパネル）には赤外受光センサ１１や映像信号等の入力端子１８が設けられている。ＤＶＤレコーダ１０の筐体内には赤外受光センサ１１と接続された受光部１２と、受光部１２の出力端と接続されたリモコン処理部１３と、リモコン処理部１３の出力端に接続されたマイコン１４と、マイコン１４の出力端に接続された画像生成部１５とを有し、画像生成部１５の出力はモニタ１６の入力端子１８に接続されている。
【００２０】
図５（Ａ）（Ｂ）は上述のリモコン装置１の表面及び背面より見た外観斜視図を示すものでリモコン本体２は底面が平らで上面を弧状に形成した略直方体状の合成樹脂等で成型した箱型の筐体２０と成され、前面側には凹状の切り込み溝となした凹部２１が形成されている。
【００２１】
筐体２０の上面には図５（Ａ）に示す様に機能選択キー、チャンネル等の実行を行なうテンキーから成る数字キー等の機能キー群２２及び電源キー２３並びに選択・確定キー２４等が配置されている。筐体２０の前面に形成されている凹部２１内には回動部２５が筐体２０に対し軸２７を中心に揺動自在に枢着されている。
【００２２】
回動部２５は後述するも側面が略Ｌ状の箱型に形成され、前面下端に突部２６が形成され、前面部には赤外線発光素子９が固定され、送信部７から赤外線発光素子９を介して赤外線が放射される。
【００２３】
筐体２０の背面には図５（Ｂ）に示す様に筐体２０の背面板２８の略中心位置にマウス手段を構成するマウスボール３が背面板２８の底部から半球が突出するように回動可能に枢着されている。  
【００２４】
上述の構成に於ける、リモコン装置１のリモコン本体２に回動部２５を枢着する場合の具体的構成と動作を図１及び図２によって詳記する。図１（Ａ）（Ｂ）に於いて、筐体２０の前面に形成された凹部２１の軸２７に対し回動可能になされた回動部２５には送信部７が内蔵され、回動部２５の背面と対抗する凹部２１の底面には図１（Ｂ）に示す様に回動部２５の背面の下端と対抗する位置にストッパ３０が立設されている。このストッパ３０は回動部２５が軸２７を中心に矢印Ｂ方向に回動した時に底面が図１（Ｂ）に示す状態より反時計方向に回動しないように成されている。更に、回動部２５の背面と対抗する凹部２１の底面間には図１（Ａ）（Ｂ）に示す様に回動部２５の背面の上端で軸２７より上側で凹部２１の底面と対抗する位置にコイルスプリング３１が介在され、このコイルスプリング３１は常時、回動部２５の背面を矢印Ｄ方向に押圧する偏倚力が与えられている。又、回動部２５の前面下端に延設された突部２６の先端は球面状と成され、例えば、ボール等を回動可能に枢着させ、机上に載置した状態で点又は線接触するように成され、リモコン装置１が水平状態に置かれた場合、リモコン本体２の筐体２０の底面より下方に突部２６が突出している。
【００２５】
ストッパ３０は円筒状となされ、内径内にはスイッチ３３の可動子が摺動可能に配設され、回動部２５が図１（Ｂ）の状態からか軸２７を中心に矢印Ａ方向（時計方向）に回動し、図２に示すスイッチ３３の可動子が回動部２５の背面から離間した状態を検出可能となされている。即ち、スイッチ３３の可動子は回動部２５が先端から離間した状態と成ると制御部８に検出信号を出力する。制御部８はスイッチ３３から検出信号が出力されると、マウス操作を開始することを示すマウスモード指示信号を送信部７に出力するように制御する。上述の構成以外は図５で説明した構成と同様なので重複説明を省略する。
【００２６】
上述の構成に於けるリモコン装置1の通常の動作について以下に説明する。リモコン本体２の機能キー２２の例えば、数字キーを押圧するとリモコン本体２は、この押圧されたキー情報をリモコン処理部６で処理し、送信部７の赤外線発光素子９からＤＶＤレコーダ１０の赤外線受光センサ１１に向けて送信する。一方、ＤＶＤレコーダ１０の赤外線受光センサ１１で受信された赤外線の信号は受光部１２を介しリモコン処理部１３に出力され、リモコン処理部１３はこの信号を復調し、リモコン本体２で押圧されたキーに対応するキーコードを出力する。このキーコードはマイコン部１４に出力され、そのキーコードに応じた処理を実行する。
【００２７】
これに対し、文字入力時にはマイコン部１４は文字入力の為に５０音もしくはアルファベット等の文字テーブル４０と文字を指し示すマウスポインタ１９を画像生成部１５に生成し、例えば、図３に示す画面１７がモニタ１６の表示画面に表示される。
【００２８】
リモコン装置１の筐体２０の背面に配設されたマウスボール３は一般的なマウスと同様にリモコン本体２の背面に配設したマウスボール３が回転するとＸ方向の移動量を検出するＸ方向フォトインタラプタ４とＹ方向の移動量を検出するＹ方向フォトインタラプタ５が回転し、その結果生成されるパルス信号はリモコン処理部６に送られる。リモコン処理部６は単位時間当たりのパルス信号を計測し、ＸＹ方向の移動量データとしてＤＶＤレコーダ１０に送信する。又リモコン本体２の筐体表面に設けられている機能キー２２、選択確定キー２４、電源キー２３のオン、オフ状態も合わせて送信する。
【００２９】
移動量データはリモコン装置１の送信部７とＤＶＤレコーダ１０の赤外線受光センサ１１の受光部１２とリモコン処理部１３を経由してマイコン部１４に送られてくる。マイコン部１４では移動量データに応じ画像生成部１５のマウスポインタ１９の描画位置を変更する。又、この処理と平行してリモコン本体２の表面に配した、各種キー群のオン、オフ状態を示すデーダも送られてくるので、オンである場合、予め表示してある５０音或いはアルファベットの文字テーブル４０が指し示している文字が選択される。
【００３０】
リモコン装置1を机上に載置した状態を図2に示す。図2に示す様に、リモコン装置１が水平面上に配されると回動部２５の突部２６の下面がリモコン本体２の筐体２０の底面
より下方へ突出していることから、回動部２５が軸２７を中心に時計方向に回動すると、スイッチ３３は回動部２５から離れて制御部８へ検出信号を出力し、送信部７は制御部８の制御によりマウスモード信号を示す信号を赤外線に変換し、この赤外線をＤＶＤレコーダ１０の赤外線受光センサ１１に照射する。この様に文字入力時にはリモコン装置1のリモコン本体２の回動部２５は図２に示す状態となされ、軸２７を中心に矢印Ａの時計方向に回動し、回動部２５の前面下部に下方に突出した突部２６によって、回動部２５は斜め上方に傾斜した状態になされて、赤外線発光素子９からＤＶＤレコーダ１０に赤外線が放射されることになる。
【００３１】
ＤＶＤレコーダ１０は送信部１２からマウスモード指示信号を示す赤外線を受光すると、この赤外線をマウスモード指示信号に変換し、リモコン処理部１３へ出力する。マイコン部１４はリモコン処理部１４にマウスモード指示信号が入力されると画像生成回路１５にアルファベット等の文字テーブル４０を表示するように制御し、リモコン装置１の送信部７から赤外線によって受光部１２に送信される移動量データに応じてマウスポインタ１９をＸ方向又はＹ方向へ移動するよう制御する。
【００３２】
上述のリモコン装置１によると、マウス操作を行なう場合、机の上にリモコン装置1を載置した状態でリモコン装置1を前後左右に移動して操作を行なったとき、回動部２５は上方斜め方向に向けて赤外線を放射することができるために、リモコン装置１を使用者が持って操作する場合、或いはリモコン装置１を机の上に置いてマウス操作をする場合でもＤＶＤレコーダ１０の赤外線受光センサ１１に向けてリモコン装置１から放射される赤外線を正確に照射可能となる。これらの動作を図６及び図７で説明する。
【００３３】
図６は、使用者３５がリモコン装置１を持って機能キー群２２の操作を行なっている状態を示す説明図、図７は使用者３５がリモコン装置１を机３６の上に載置し、マウス操作により文字入力を行なっている状態を示す説明図である。図６及び図7に示す様に送信部7の赤外線発光素子９からの照射角度は角度θ1の範囲内に赤外線を放射するものとする。
【００３４】
図６に示す様に使用者３５が持っていたリモコン装置１を図7の様に、机３６に載置すると、回動部２５の突部２６がリモコン本体２の下面より下方へ突出していることから、図２に示す矢印Ａ方向へ回転し、図７に示す様に、送信部７の赤外線発光素子９から発光される赤外線発光範囲は机３６の水平面から上方へ角度θ２から角度θ１の範囲となる。
【００３５】
リモコン装置１の機能キー群２２によって、ＤＶＤレコーダ１０の再生開始や再生停止の操作を行なう場合は、図６に示す様に、リモコン装置１を持って、リモコン本体２の機能キー群２２を目視した状態でリモコン本体２を操作する。このとき、例えば、図６に示す様に、赤外線受光センサ１１が使用者３５の把持しているリモコン装置１と略水平の位置にある場合は、赤外線発光素子９から発光される赤外線が水平線を中心として角度θ１の範囲に発光されるので赤外線発光素子９から発光される赤外線を正確に受光可能となる。
【００３６】
使用者３５がリモコン装置１のマウス機能を用いて文字入力をする場合は、図７に示す様に、使用者３５の手前の下方に備えられた机３６にリモコン装置１を載置した状態で、モニタ１６に表示されたアルファベット等の文字テーブル４０を目視しながらリモコン装置１を左右又は前後にスライドさせる操作を行なう。このとき、赤外線を発光する送信部７の赤外線発光素子９は使用者３５がリモコン装置１を持った場合より下方の位置となるが、回動部２５が図２の様に軸２７を中心に矢印Ａ方向へ回動し、この結果、図７に示す様に送信部７から照射される赤外線が机３６の水平面から上方へ角度θ２から上方へ角度θ１の範囲に照射される。このことにより、ＤＶＤレコーダ１０の受光部１２の赤外線受光センサ１１は、赤外線発光素子９から発光された赤外線を正確に受光することが可能となるので、赤外線発光素子９から発光された赤外線が受光部１２によって受光できずにリモコン装置１の操作が不可能になってしまうのを防止することが出来る。
【００３７】
又、このとき、回動部２５が回動し、スイッチ３３の先端から回動部２５が離れた状態になることにより、送信部７からマウスモード指示信号を示す信号が赤外線によって照射され、自動的にモニタ１６へ文字テーブル４０が表示されるので使用者３５は文字入力を開始する操作をしなくても、リモコン装置１を机３６の上に載置するのみで文字入力を開始することが出来る。このとき、突部２６の下端には球面部が備えられているので、リモコン本体２を左右又は前後にスライドさせ場合でも、回動部２５を滑らかにスライドさせることが出来る。
【００３８】
本実施例のリモコン装置１はスプリングコイル３１が回動部２５を前方向に押圧していることから回動部２５は図１に示す状態で、常に矢印Ｂ方向に押圧された状態となる。このことから、リモコン装置１を使用者３５が把持して上下方向に移動させたり、リモコン装置１を傾けた場合でも回動部２５が軸２７を中心に回動してしまうことが無い。
【００３９】
上述のリモコン装置１は、回動部２５に突部２６を備える構造としたが、突部２６の下方へ突出量を自由に調整することが出来る構成としても良い。例えば、突部２６の部分を着脱可能とし、高さの異なる複数種の突部２６と交換することが可能な構造とする、この構造によりリモコン装置１を机３６に載置した場合の送信部７から発光させる赤外線の発光角度を変化させることができる。このことにより、ＤＶＤレコーダ１０の赤外線受光センサ１１の高さや机の高さに応じて赤外線発光素子９から発光させる発光角度を調整させることができる。
【産業上の利用可能性】
【００４０】
上述の構成ではリモコン装置によって制御される電子機器としてＤＶＤレコーダについて説明したが本発明に適用可能な電子機器としては、ＤＶＤレコーダに限らずＣＤやＭＤ等のディスク及び磁気テープ媒体の記録又は／及び再生装置、テレビジョン受像機、コンピュータなどに適用可能である。又、ＰＡＤ（個人携帯情報端末器）や携帯電話機等に回動部を付加するようにしても良い。
【図面の簡単な説明】
【００４１】
【図１】本発明のリモコン装置の一形態例を示す平面及び側面図である。
【図２】本発明のリモコン装置の一形態例を示す動作を説明するための側面図である。
【図３】本発明のリモコンン装置に用いるモニタの画面上に表示される表示画面の一例を示す表示画面図である。
【図４】本発明のリモコン装置とＤＶＤレコーダに適用した電子機器の機能的系統図である。
【図５】本発明のリモコン装置の一形態例を示すリモコン装置の表面及び背面を示す外観斜視図である。
【図６】本発明のリモコン装置の操作方法を示す説明図である。
【図７】本発明のリモコン装置の操作方法を示す説明図である。
【符号の説明】
【００４２】
１・・・・リモコン装置、２・・・・リモコン本体、３・・・・マウスボール、４・・・・Ｘ方向フォトインタラプタ、５・・・・Ｙ方向フォトインタラプタ、６、１３・・・・リモコン処理部、７・・・・送信部、８・・・・制御部、９・・・・赤外線発光素子、１０・・・・ＤＶＤレコーダ、  １１・・・・赤外線受光センサ、１２・・・・受信部、１４・・・・マイコン、１５・・・・画像生成部、１６・・・・モニタ、１７・・・・画面、１８・・・・入力端子、１９・・・・マウスポインタ、２０・・・・筐体、２１・・・・凹部、  ２２・・・機能キー、２５・・・・回動部、２６・・・・突部、２７・・・・軸、３０・・・・ストッパ  、３１・・・・コイルスプリング、４０・・・・文字テーブル
【図１】
2006086691.tif 000003
【図２】
2006086691.tif 000004
【図３】
2006086691.tif 000005
【図４】
2006086691.tif 000006
【図５】
2006086691.tif 000007
【図６】
2006086691.tif 000008
【図７】
2006086691.tif 000009